(57)【要約】
【課題】消しゴムやペン、印鑑などの小物を紛失しないようにする小物巻取り機を提供することを課題とする。
【解決手段】コイル状に巻かれた板バネ４を内蔵するホイール３を備えた本体１を吸盤２により机などに吸着させ、ホイール３に巻き付けられた紐５の先端にアタッチメント６により装着された消しゴム７などの小物を使用するために、小物をアタッチメント６及び紐５と共に引っ張ると、ホイール３が回転して板バネ４に反力が溜め込まれる。使用後に手を離すと、板バネ４の反力によりホイール３が逆方向に回転して紐５が巻取られ、消しゴム７などの小物がアタッチメント６と共に本体１まで自動的に戻る。このため、消しゴム７などの小物を紛失することがなく、かつ同じ位置に常に戻るので探す必要もない。
【選択図】図１
0003101208.tif 000002
【実用新案登録請求の範囲】
【請求項１】
本体と、
本体を机などに固定する固定部材と、
本体に回転自在に取り付けられると共に紐が巻き付けられたホイールと、
ホイールを所定の回転位置に付勢する弾性部材と、
紐の先端に取り付けられると共に消しゴムなどの小物を装着するためのアタッチメントと
を備え、アタッチメントにより装着された小物を使用するためにアタッチメントを紐と共に引っ張ることによりホイールが回転して弾性部材に反力が溜め込まれ、使用後アタッチメントから手を離すと弾性部材の反力によりホイールが逆方向に回転して紐が巻取られ、アタッチメントに装着された小物が本体まで自動的に戻ることを特徴とする小物巻取り機。
【請求項２】
固定部材は、机などに吸着固定される吸盤からなる請求項１に記載の小物巻取り機。
【請求項３】
固定部材は、バインダーなどに挟み込んで固定されるクリップ状の部材からなる請求項１に記載の小物巻取り機。
【請求項４】
固定部材は、衣服などに固定される安全ピンからなる請求項１に記載の小物巻取り機。
【請求項５】
本体は、樹脂あるいは金属から形成されている請求項１〜４のいずれか一項に記載の小物巻取り機。
【請求項６】
アタッチメントは、消しゴムとそのカバーとの間に挿入することで市販の消しゴムを装着する請求項１〜５のいずれか一項に記載の小物巻取り機。
【請求項７】
アタッチメントは、洗濯バサミの形状をしており、その接触部分は半円筒形で特にペンや印鑑などの装着に適している請求項１〜５のいずれか一項に記載の小物巻取り機。
【請求項８】
本体の紐吐出口とアタッチメントの紐取付部とは、互いに雄と雌の関係の螺旋形状をしており、アタッチメントが本体に戻った時に、アタッチメントに装着された小物が本体に対して常に同じ状態になる請求項１〜７のいずれか一項に記載の小物巻取り機。
【考案の詳細な説明】
【技術分野】
【０００１】  この考案は、消しゴムなどの小物の紛失を防止することを目的とする巻取り機の構造に関する。
【背景技術】
【０００２】  勉強や仕事中に消しゴムやペンあるいは印鑑など小物を紛失してしまうと、探し出す時間やあきらめて買い直してしまう無駄が発生する。カギに関しては、紛失防止のために巻取り機本体をリングなどによりキーホルダーやベルトに装着するものがあるが、卓上に安定かつ安全に固定したり、カギの代わりに文具などを装着することが困難である。
【考案の開示】
【考案が解決しようとする課題】
【０００３】  そこで、この考案は、卓上などに簡単かつ安定、安全に装着できるようにすることで、消しゴムなどの小物を紛失しなくなり、またバインダーや衣服などに簡単かつ安定、安全に装着できるようにすることで、消しゴムなどの小物を紛失しなくなるばかりでなく両手が自由になり作業もはかどる小物巻取り機を提供することを目的としている。
【課題を解決するための手段】
【０００４】  この考案に係る小物巻取り機は、本体と、本体を机などに固定する固定部材と、本体に回転自在に取り付けられると共に紐が巻き付けられたホイールと、ホイールを所定の回転位置に付勢する弾性部材と、紐の先端に取り付けられると共に消しゴムなどの小物を装着するためのアタッチメントとを備え、アタッチメントにより装着された小物を使用するためにアタッチメントを紐と共に引っ張ることによりホイールが回転して弾性部材に反力が溜め込まれ、使用後アタッチメントから手を離すと弾性部材の反力によりホイールが逆方向に回転して紐が巻取られ、アタッチメントに装着された小物が本体まで自動的に戻るものである。これにより、消しゴムなどの小物を紛失することがなく、かつ常に同じ位置に戻るので探す必要もなくなる。【０００５】  本体を固定する固定部材としては、机などに吸着固定される吸盤や、バインダーなどに挟み込んで固定されるクリップ状の部材や、衣服などに固定される安全ピンを用いることができる。
好ましくは、本体は、樹脂あるいは金属から形成される。
また、小物を装着するアタッチメントとしては、消しゴムとそのカバーとの間に挿入することで市販の消しゴムを装着し得るものを用いることができる。あるいは、洗濯バサミの形状をしており、その接触部分が半円筒形のアタッチメントを使用して、特にペンや印鑑などを装着してもよい。
さらに、本体の紐吐出口とアタッチメントの紐取付部とが互いに雄と雌の関係の螺旋形状をしており、アタッチメントが本体に戻った時に、アタッチメントに装着された小物が本体に対して常に同じ状態になるように構成すれば、小物を使いやすくなるだけでなく、見た目にきれいである。
【考案の効果】
【０００６】  以上説明したように、この考案に係る小物巻取り機は、机などに簡単かつ安定して安全に装着することができるので、勉強や作業の場で使用することができる。従って文具などの小物を紛失することがなく、かつ同じ位置に常に戻るので探す必要がなく勉強や作業がはかどる。また、市販の消しゴムをそのまま使用できたり、洗濯バサミの形状のアタッチメントを用いてペンや印鑑などの他の小物を対象とすることもでき、汎用性の高い小物巻取り機が実現される。さらに、固定部材としてクリップ状の部材や安全ピンを使用することにより、バインダーや衣服に本体を固定することができるので、特に屋外作業等で有効である。
【考案を実施するための最良の形態】
【０００７】  添付図面を参照してこの考案の実施の形態について説明する。
実施の形態に係る小物巻取り機は、図１及び図２に示されるように、本体１と、本体１を机などに吸着することができる吸盤２と、本体１内に回転自在に取り付けられると共に紐５が巻き付けられたホイール３と、ホイール３を所定の回転位置に付勢するための弾性部材となるコイル状に巻かれた板バネ４とを有している。ホイール３に巻き付けられた紐５の先端にはアタッチメント６が取り付けられ、このアタッチメント６に消しゴム７が装着される。また、本体１は固定部材である吸盤２を机などに吸着させて固定しておく。【０００８】  消しゴム７を使用するためにアタッチメント６及び紐５と共に引っ張ると、ホイール３が回転して板バネ４に反力が溜め込まれる。消しゴム７を使用した後、手を離すと板バネ４の反力によりホイール３が逆方向に回転して紐５が巻取られ、消しゴム７がアタッチメント６と共に本体１まで自動的に戻る。【０００９】  消しゴム７を付けるアタッチメント６は、消しゴム７とそのカバーとの間に挿入することで消しゴム７に固定でき、市販の消しゴムを装着できるようになっている。【００１０】  図３に示されるように、接触部分が半円筒形を有する洗濯バサミの形状のアタッチメント９を紐５の先端に取り付ければ、特にペンや印鑑などの消しゴム以外の小物１０の装着に適した小物巻取り機が得られる。【００１１】  図４に示されるように、アタッチメント６，９の紐取付部と本体１の紐吐出口８を、それぞれ雄と雌の関係の螺旋形状を有するように形成すれば、アタッチメント６，９が本体１に戻った時に、消しゴム７やその他の小物１０が本体１に対して常に同じ状態になるのできれいに見える。【００１２】  吸盤２の代わりに、図５〜７に示されるように、バインダーなどに挟み込んで固定されるクリップ状の部材からなる固定部材１１を本体１に取り付けることもできる。【００１３】  さらに、図８及び９に示されるように、衣服などに装着可能な安全ピンからなる固定部材１２を本体１に取り付けてもよい。
【図面の簡単な説明】
【００１４】
【図１】この考案の実施の形態に係る小物巻取り機を示す斜視図である。
【図２】図１の小物巻取り機を示す断面斜視図である。
【図３】アタッチメント９により小物１０を取付けた状態を示す斜視図である。
【図４】螺旋形状に形成されたアタッチメント６、９の紐取付部を示す斜視図である。
【図５】固定部材１１を本体１に装着した状態を示す斜視図である。
【図６】固定部材１１によりバインダーに装着した状態を示す斜視図である。
【図７】固定部材１１によりバインダーに装着し、作業している状態を示す斜視図である。
【図８】安全ピン１２を本体１に装着した状態を示す斜視図である。
【図９】安全ピン１２により衣服に装着し、作業している状態を示す斜視図である。
【符号の説明】
【００１５】  １  本体、２  吸盤、３  ホイール、４  板バネ、５  紐、６  アタッチメント、７  消しゴム、８  紐吐出口、９  アタッチメント、１０  小物、１１  固定部材、１２  安全ピン。
【図１】
0003101208.tif 000003
【図２】
0003101208.tif 000004
【図３】
0003101208.tif 000005
【図４】
0003101208.tif 000006
【図５】
0003101208.tif 000007
【図６】
0003101208.tif 000008
【図７】
0003101208.tif 000009
【図８】
0003101208.tif 000010
【図９】
0003101208.tif 000011